(57)【要約】【課題】  連結具の取付けが容易で、左右のメッシュパネルをしっかりと固定できるメッシュフェンスの製造方法を提供する。【解決手段】  複数のメッシュパネルと、連結具を備え、連結具は、隣り合うメッシュパネルの横材及び縦材を挟み込んで連結するものであって、受け部と押さえ部と連結部を有し、連結部は、受け部と押さえ部を開閉自在に連結しており、受け部と押さえ部を開いた状態で、受け部又は押さえ部と連結部を隣り合うメッシュパネル間に左右幅を上下方向に向けて挿通し、連結部をメッシュパネル間において、左右幅が左右方向に向くように回転させ、受け部と押さえ部を閉じることによって、隣り合うメッシュパネルの縦材同士及び横材同士の上下左右の移動を規制する。【選択図】      図１
2019196650.tif 000002
【特許請求の範囲】
【請求項１】
複数のメッシュパネルと、連結具を備え、連結具は、隣り合うメッシュパネルの横材及び縦材を挟み込んで連結するものであって、受け部と押さえ部と連結部を有し、連結部は、受け部と押さえ部を開閉自在に連結しており、
受け部と押さえ部を開いた状態で、受け部又は押さえ部と連結部を隣り合うメッシュパネル間に左右幅を上下方向に向けて挿通し、
連結部をメッシュパネル間において、左右幅が左右方向に向くように回転させ、
受け部と押さえ部を閉じることによって、隣り合うメッシュパネルの縦材同士及び横材同士の上下左右の移動を規制することを特徴とするメッシュフェンスの製造方法。
【発明の詳細な説明】
【技術分野】
【０００１】
本発明は、メッシュフェンスの製造方法に関する。
【背景技術】
【０００２】
従来のメッシュフェンスにおいて、隣り合うメッシュパネルの縦材同士のみを連結する連結具が用いられていた。しかし、このような連結具を用いた従来のメッシュフェンスでは、メッシュパネルが回転することや、前後方向や上下方向にずれが発生してしまうことが問題であった。
【先行技術文献】
【非特許文献】
【０００３】
【非特許文献１】「スチールメッシュフェンス  ユメッシュＥ型  施工要領書（ＨＺ１６７８Ｃ）」三協立山株式会社、２０１７年４月、ｐ．２
【発明の概要】
【発明が解決しようとする課題】
【０００４】
本発明は上記課題を鑑み、連結具の取付けが容易で、左右のメッシュパネルをしっかりと固定できるメッシュフェンスの製造方法を提供することを目的とする。
【課題を解決するための手段】
【０００５】
本発明は、複数のメッシュパネルと、連結具を備え、連結具は、隣り合うメッシュパネルの横材及び縦材を挟み込んで連結するものであって、受け部と押さえ部と連結部を有し、連結部は、受け部と押さえ部を開閉自在に連結しており、受け部と押さえ部を開いた状態で、受け部又は押さえ部と連結部を隣り合うメッシュパネル間に左右幅を上下方向に向けて挿通し、連結部をメッシュパネル間において、左右幅が左右方向に向くように回転させ、受け部と押さえ部を閉じることによって、隣り合うメッシュパネルの縦材同士及び横材同士の上下左右の移動を規制することを特徴とする。
【発明の効果】
【０００６】
本発明によれば、連結具の受け部と押さえ部を閉じることによって、隣り合うメッシュパネルの縦材同士及び横材同士の上下左右の移動を規制するため、左右のメッシュパネルが回転したり、前後方向、左右方向にずれたりすることなくしっかりと固定できる。また、受け部と押さえ部を開いた状態で、受け部又は押さえ部と連結部を隣り合うメッシュパネル間に左右幅を上下方向に向けて挿通し、連結部をメッシュパネル間において、左右幅が左右方向に向くように回転させてメッシュフェンスを連結するため、メッシュパネル間の幅が狭い場合も容易に施工できる。
【図面の簡単な説明】
【０００７】
【図１】（ａ）はメッシュフェンスの要部の正面図であり、（ｂ）はＡ−Ａ線断面図である。
【図２】（ａ）はメッシュフェンスの部分正面図であり、（ｂ）はＢ−Ｂ線断面図である。
【図３】受け部と押さえ部を開いた状態の連結具であり、（ａ）は側面図、（ｂ）は背面図、（ｃ）は底面図、（ｄ）は斜視図である。
【図４】（ａ）（ｂ）（ｃ）（ｄ）はメッシュフェンスの施行手順を示す平面図である。
【発明を実施するための形態】
【０００８】
以下、本発明の実施の形態を図面に基づいて説明する。なお、前側とは図２（ａ）における紙面手前側を示し、後側とは奥側を示す。また図２（ａ）において上下方向及び左右方向を定める。
メッシュフェンスは、図２に示すように、メッシュパネル１と、連結具２と、縦材連結具３と、支柱４から構成されている。任意の間隔で立設する支柱４にメッシュパネル１が係止金具５とフックボルト６によって係止してあり、隣り合う左右のメッシュパネル１，１同士が連結具２と縦材連結具３によって連結されることにより、左右方向に連続してメッシュフェンスが設置される。なお、縦材連結具３は従来からメッシュパネル１の連結に用いられているものであり、縦材１ｂ，１ｂのみを固定するものである。
【０００９】
メッシュパネル１は、図１及び図２に示すように、金属製の線材である横材１ａと縦材１ｂから構成され、任意の間隔で配置された複数の横材１ａの前側から複数の縦材１ｂが溶着されて網の目状のパネルに形成されたものである。メッシュパネル１の上縁及び下縁は縦材１ｂが前側へ向かって弧状に湾曲している。
【００１０】
連結具２は、隣り合うメッシュパネル１，１の横材１ａ，１ａ同士及び縦材１ｂ，１ｂ同士を挟み込んで連結するものであり、図３に示すように、受け部２１と、押さえ部２２と、連結部２３から構成される。
受け部２１と押さえ部２２は、連結部２３によって開閉自在に連結されており、メッシュパネル１へ取り付ける前の状態においては、受け部２１と押さえ部２２の間が開いて角度を有している。メッシュパネル１に取り付けると、図１（ｂ）に示すように、受け部２１と押さえ部２２は前後に対向し、受け部２１と押さえ部２２の間が閉じた状態でネジ止めされ、受け部２１がメッシュパネル１の後側、押さえ部２２がメッシュパネル１の前側に位置し、隣り合うメッシュパネル１，１の横材１ａ，１ａ同士及び縦材１ｂ，１ｂ同士を受け部２１と押さえ２２とが前後から挟み込む。
【００１１】
受け部２１は、横材受け部２１ａと縦材受け部２１ｂと上仕切部２１ｃ及び位置規制部２１ｄから構成される。
横材受け部２１ａは、図１（ｂ）及び図３（ａ）に示すように側面視すると、横向きの略Ｕ字形状であり、メッシュパネル１に取り付けると開口が前側を向き、隣り合うメッシュパネル１，１の横材１ａ，１ａ同士の外周部を後側からくわえ込む。また、図３（ｄ）に示すように、横材受け部２１ａの上端には、上仕切部２１ｃと位置規制部２１ｄが設けてあり、上仕切部２１ｃは横材受け部２１ａの中央部を前側に向かって延出させて設けてある。上仕切部２１ｃの左右幅は、隣り合うメッシュパネル１，１の隣接する縦材１ｂ，１ｂ同士の幅よりも狭く、メッシュパネル１に取り付けると上仕切部２１ｃは縦材１ｂ，１ｂの間に位置する。上仕切部２１ｃの左右両側には縦材１ｂの外周部に沿う凹状の位置規制部２１ｄが設けてある。位置規制部２１ｄにはそれぞれ前側から縦材１ｂが嵌まり込む。
縦材受け部２１ｂは、横材受け部２１ａの前側の下端から垂下している。縦材受け部２１ｂは平坦であり、略中央にネジ孔２１ｅを設けてある。
【００１２】
押さえ部２２は、二つの横材押さえ部２２ａ，２２ａと、縦材押さえ部２２ｂから構成される。受け部２１と押さえ部２２の間を閉じた状態では、受け部２１と押さえ部２２は対向するが、厳密に言えば、二つの横材押さえ部２２ａ，２２ａは横材受け部２１ａの左右両側にそれぞれ近接し、縦材押さえ部２２ｂの見付面２２ｃが縦材受け部２１ｂに対向する。
縦材押さえ部２２ｂは、見付面２２ｃと、見付面２２ｃの左右両端からそれぞれ延びる見込面２２ｄ，２２ｄからなり、図３（ｂ）（ｄ）に示すように開口が受け部２１側を向いた略コ字形状である。見込面２２ｄは受け部２１の左右両端部より外側に形成されているので、押さえ部２２の左右幅は受け部２１の左右幅よりも広くなっており、受け部２１と押さえ部２２の間を閉じた状態で、二つの横材押さえ部２２ａ，２２ａは横材受け部２１ａの左右両側にそれぞれ近接する。また、メッシュパネル１に取り付けた状態で、縦材押さえ部２２ｂの開口は後側へ向いており、二本の縦材１ｂ，１ｂの前側面を見付面２２ｃが覆うとともに、左右の側面を見込面２２ｄ，２２ｄが覆う。見付面２２ｃの略中央には、受け部２１と押さえ部２２の間を閉じた状態で受け部２１のネジ孔２１ｅに対向するネジ孔２２ｅが設けてある。見付面２２ｃの左右幅は、隣り合うメッシュパネル１，１の隣接する縦材同士１ｂ，１ｂを覆うほどの大きさである。
横材押さえ部２２ａは、図３（ａ）（ｃ）に示すように、両見込面２２ｄ，２２ｄを延出させて設けてあり、受け部２１と押さえ部２２の間を閉じた状態で横材受け部２１ａの左右両側にそれぞれ近接し、縦材押さえ部２２ｂの見込面２２ｄよりも受け部２１側に向かってせり出ている。横材押さえ部２２ａは、メッシュパネル１に取り付けると、横材受け部２１ａにくわえ込まれた横材１ａを前側から押さえる。
【００１３】
連結部２３は、縦材押さえ部２２ｂの見付面２２ｃと、縦材受け部２１ｂとを、左右略中央部において連結するものであるとともに、隣り合うメッシュパネル１，１の隣接する縦材１ｂ，１ｂ同士を仕切る下仕切部の役割を有するものである。連結部２３の左右幅は、受け部２１及び押さえ部２２よりも狭く、隣り合うメッシュパネル１，１の隣接する縦材１ｂ，１ｂ同士の間隔よりも狭い。連結部２３は、二つの折れ曲がり部２３ａ，２３ａを有する。メッシュパネル１へ取り付ける前の状態では、図３（ａ）に示すように、二つの折れ曲がり部２３ａ，２３ａが鈍角に折れ曲がることによって、受け部２１と押さえ２２が角度を有し、メッシュパネル１に取り付けた状態では、図１（ｂ）に示すように二つの折れ曲がり部２３ａ，２３ａが略垂直に折れ曲がることによって、縦材押さえ部２２ｂの見付面２２ｃと縦材受け部２１ｂとが略平行に対向する。
【００１４】
本発明のメッシュフェンスの施工方法について説明する。
まず、支柱４を任意の間隔で立設する。支柱４の前側面には、上方に係止金具５を取り付け、メッシュパネル１の上端に位置する横材１ａを係止金具５に引っ掛ける。次いで、フックボルト６を数箇所の横材１ａにそれぞれ引っ掛けてメッシュパネル１の前側から支柱４に固定することにより、メッシュパネル１を支柱４へ係止する。
次いで、隣り合うメッシュパネル１，１を連結するために、連結具２及び縦材連結具３を取り付ける。連結具２と縦材連結具３はいずれを先に取り付けてもよい。本実施形態では、図２に示すように、上部及び下部に本発明の連結具２、中間部に縦材連結具３を用いているが、すべて本発明の連結具２を用いてもよく、連結具２を取り付ける場所は限定されない。また、以下では連結具２の取り付け方法について詳述し、縦材連結具３については省略する。
【００１５】
図４（ａ）に示すように、連結具２は受け部２１と押さえ部２２を開いた状態で、左右幅を上下方向に向け、隣り合うメッシュパネル１，１の隙間へ挿通していく。そして、図４（ｂ）に示すように、受け部２１を前側から後側へ挿通し、連結部２３が隣り合うメッシュパネル１，１の間に位置した状態で、連結具２の左右幅が左右方向を向くよう垂直方向に回転させる。次に、図４（ｃ）に示すように、受け部２１の上仕切部２１ｃを縦材１ｂ，１ｂ間に位置させ、位置規制部２１ｄ及び縦材受け部２１ｂを縦材１ｂへ当接させるとともに、横材１ａを横材受け部２１ａへくわえ込ませた後、押さえ部２２を起こして受け部２１と押さえ部２２の間を閉じる。最後に、ネジ７を前側から受け部２１のネジ孔２１ｅと押さえ部２２のネジ孔２２ｅへ挿入して、縦材１ｂ，１ｂ間において受け部２１と押さえ部２２を固定することにより、図４（ｄ）に示すように、隣り合うメッシュパネル１，１が連結される。
なお、図４（ａ）では連結具２の受け部２１を前側から挿通しているが、受け部２１又は押さえ部２２のいずれを挿通させてもよく、連結具２の挿入方向は前側及び後側のいずれからでもよい。また、図２（ａ）に示すメッシュパネル１の下方に取り付けた連結具２のように、上仕切部２１ｃを下方、連結部２３を上方に向けて取り付けてもよい。
【００１６】
このように構成したメッシュフェンスによれば、連結具２の受け部２１と押さえ部２２を閉じることによって、隣り合うメッシュパネル１，１の縦材１ｂ，１ｂ同士及び横材１ａ，１ａ同士の上下左右の移動を規制するため、左右のメッシュパネル１，１が回転したり、前後方向、左右方向にずれたりすることなくしっかりと固定できる。詳しくは、横材受け部２１ａ及び横材押さえ部２２ａ、並びに、縦材受け部２１ｂ及び縦材押さえ部２２ｂの見付面２２ｃが前後方向の位置を規制し、上仕切部２１ｃ、位置規制部２１ｄ、連結部２３、及び縦材押さえ部２２ｂの見込面２２ｄ，２２ｄが左右方向の位置を規制し、さらに、横材受け部２１ａは上下方向の位置を規制するので、連結具２は隣り合うメッシュパネル１，１の前後、上下、左右の位置ずれを生じさせない。
また、受け部２１と押さえ部２２を開いた状態で、受け部２１又は押さえ部２２と連結部２３を隣り合うメッシュパネル１，１間に左右幅を上下方向に向けて挿通し、連結部２３をメッシュパネル１，１間において、左右幅が左右方向に向くように回転させてメッシュフェンスを連結するため、メッシュパネル１，１間の幅が狭い場合も容易に施工できる。
そして、受け部２１と押さえ部２２は、メッシュパネル１へ取り付ける前の状態においては、連結部２３によって受け部２１と押さえ部２２の間が開いて角度をもった状態で連結してあることにより、縦材１ｂ，１ｂ間において連結具２を容易に挿通及び回転させることができる。また、容易に折り曲げることができる。
【００１７】
本発明は、上記の実施形態に限らず本発明の要旨を逸脱しない範囲で変更可能である。例えば、連結具の寸法は連結する縦材間の幅や、縦材及び横材の太さや形状に応じて任意に変更可能である。また、連結具の取り付け位置や数量は限定されない。
【符号の説明】
【００１８】
１      メッシュパネル
１ａ    横材
１ｂ    縦材
２      連結具
３      縦材連結具
４      支柱
２１      受け部
２２      押さえ部
２３      連結部
【図１】
2019196650.tif 000003
【図２】
2019196650.tif 000004
【図３】
2019196650.tif 000005
【図４】
2019196650.tif 000006